(57)【要約】【課題】送電線鉄塔内に鳥が飛来するのを効果的に防止できる送電線鉄塔の鳥害防止用具を提供すること。【解決手段】送電線鉄塔１の水平部材６に装着される２本の長尺部材１２，１３と、長尺部材１２，１３間にピッチをおいて格子状に張設される複数本のひも状体１１から成る。２本の長尺部材１２，１３のうち少なくとも一方を水平部材６に着脱自在に装着する。望ましくは、ひも状体１１を緊張させて張設するスプリング１４を設ける。ひも状体１１を格子状に張設することにより、送電線鉄塔内に鳥が飛来するのを効果的に防止できる。【選択図】        図２
2004313014.tif 000002
【特許請求の範囲】
【請求項１】
送電線鉄塔の水平部材に装着される２本の長尺部材と、２本の長尺部材間にピッチをおいて格子状に張設される複数本のひも状体から成り、前記２本の長尺部材のうち少なくとも一方を前記水平部材に着脱自在に装着することを特徴とする送電線鉄塔の鳥害防止用具。
【請求項２】
前記ひも状体を緊張させて張設するスプリングを設けたことを特徴とする請求項１記載の送電線鉄塔の鳥害防止用具。
【発明の詳細な説明】
【０００１】
【発明の属する技術分野】
本発明は、送電線鉄塔の内部に鳥が侵入するのを防止するための送電線鉄塔の鳥害防止用具に関するものである。
【０００２】
【従来の技術】
送電線鉄塔にはカラスなどの鳥が飛来し、その内部に巣を作りやすい。鳥が巣作りのために持ち込む材料にはハリガネなどの導電性を有するものも含まれるので、場合によっては短絡事故を発生する。この他にも、送電線鉄塔に鳥が飛来することにより、ふん害などの様々な害が発生する。
【０００３】
【発明が解決しようとする課題】
このため、従来より送電線鉄塔に対する鳥害防止のために様々な対策が提案されているが、いずれも十分な防止効果をあげていない実情にある。
【０００４】
そこで本発明は、送電線鉄塔内に鳥が飛来するのを効果的に防止できる送電線鉄塔の鳥害防止用具を提供することを目的とする。
【０００５】
【課題を解決するための手段】
本発明の送電線鉄塔の鳥害防止用具は、送電線鉄塔の水平部材に装着される２本の長尺部材と、２本の長尺部材間にピッチをおいて格子状に張設される複数本のひも状体から成り、前記２本の長尺部材のうち少なくとも一方を前記水平部材に着脱自在に装着するようにした。
【０００６】
また望ましくは、前記ひも状体を張設するスプリングを設けた。
【０００７】
上記構成の送電線鉄塔の鳥害防止用具によれば、送電線鉄塔内に鳥が飛来するのを格子状に張設されたひも状体により効果的に防止できる。また作業者が送電線鉄塔上に昇り、がいし洗浄作業や防錆塗装作業等を行う場合には、ひも状体がこれらの作業の邪魔になる。そこでこの場合には、一方の長尺部材を部材からとりはずすことにより、ひも状体を作業の邪魔にならないように除去することができ、これにより作業者は支障なくがいし洗浄作業や防錆塗装作業を行うことができる。
【０００８】
【発明の実施の形態】
以下、本発明の実施の形態を図面を参照して説明する。図１は送電線鉄塔の正面図、図２は送電線鉄塔の鳥害防止用具の斜視図、図３は一方の長尺部材を取りはずした状態の送電線鉄塔の鳥害防止用具の斜視図、図４は送電線鉄塔の鳥害防止用具の取付構造を示す側面図である。
【０００９】
図１において、送電線鉄塔１は、地上に直立した本体２と、本体２から側方へ突出するアーム部３から成っており、アーム部３の先端部にはがいし４を連結したがいし連５が設けられている。本体２の外側面（本体２の平面形状が４角形の場合は４方の面）には、ひも状体１１を格子状に張設した鳥害防止用具１０が装着されている。
【００１０】
次に鳥害防止用具１０について説明する。図２において、鳥害防止用具１０は、上下２本のパイプや棒から成る長尺部材１２，１３に、ロープやワイヤなどのひも状体１１をピッチＰをおいて格子状に複数本張設して成っている。ピッチＰの大きさは、羽根を広げた鳥が侵入するのを防止できる大きさである。
【００１１】
ひも状体１１の端部にはこれを緊張させて張設するためのスプリング１４が連結されており、スプリング１４の一端部とひも状体１１の一端部が、それぞれ止具１５を介して上下の長尺部材１２，１３に取り付けられている。勿論、ひも状体１１の両端部や中央部にスプリング１４を設けてもよい。
【００１２】
６は送電線鉄塔１の本体２を構築する水平部材であるアングル部材である。次に図４を参照して長尺部材１２，１３をアングル部材６に装着自在に装着する取付具２０を説明する。２１は長尺部材１２，１３の両端部を抱持するＵ字板であり、その両端部のねじ部２２は連結板２３の一端部に挿入されている。ねじ部２２にナット２４を螺着することにより、長尺部材１２，１３はＵ字板２１と連結板２３で保持される。連結板２３の他端部にはＵ字部材２５が当接され、ボルト２６を螺入することにより連結板２３とＵ字部材２５は結合されている。Ｕ字部材２５は水平なアンブル部材６に装着され、ボルト２６をねじ込んでその先端部をアンブル部材６の表面に強く押しつけることにより、Ｕ字部材２５はアンブル部材６に着脱自在に固着される。長尺部材１２，１３は以上のようにしてアンブル部材６に装着される。
【００１３】
鳥害防止用具１０は、図１に示すように本体２の外側面に装着され、鳥が本体１０の内部に侵入するのを防止する。この場合スプリング１４のバネ力により、ひも状体１１は緊張されてまっすぐな格子状態を保持する。図１において、長尺部材１２，１３には添字ａ，ｂ，ｃを付している。最上段の長尺部材１２ａと最下段の長尺部材１３ｃの間にある中間の長尺部材１３ａ，１２ｂ，１３ｂ，１２ｃにはそれぞれ上方と下方へ延出するひも状体１１が装着される。
【００１４】
送電線鉄塔１の本体２に作業者が昇り、保守作業（がいし４の洗浄作業、送電線鉄塔１を構築する部材の塗装作業）等を行う場合があるが、このような場合、ひも状体１１は作業の邪魔になる。そこでこのような場合には、図３に示すようにナット２４を緩めて一方の長尺部材１３をＵ字板２１から取りはずし、ひも状体１１を上記作業の邪魔にならない位置に退避させて除去する。勿論、ボルト２６を緩めてＵ字部材２５をアングル部材６から取りはずすことにより、長尺部材１と取付具２０を一体的にアンブル部材６から取りはずしてもよい。また長尺部材１２，１３をアンブル部材６に取付ける手段は、本取付具２０に限定されない。
【００１５】
【発明の効果】
以上説明したように本発明によれば、ひも状体を格子状に張設することにより、送電線鉄塔内に鳥が飛来するのを効果的に防止できる。また作業者が送電線鉄塔上に昇り、がいし洗浄作業や防錆塗装作業等を行う場合には、ひも状体がこれらの作業の邪魔になる。そこでこのような場合には、一方の長尺部材を水平部材から取りはずすことにより、ひも状体を除去することができ、これにより作業者は支障なくがいし洗浄作業や防錆塗装作業等を行うことができる。
【図面の簡単な説明】
【図１】送電線鉄塔の正面図
【図２】送電線鉄塔の鳥害防止用具の斜視図
【図３】一方の長尺部材を取りはずした状態の送電線鉄塔の鳥害防止用具の斜視図
【図４】送電線鉄塔の鳥害防止用具の取付構造を示す側面図
【符号の説明】
１  送電線鉄塔
２  本体
６  アンブル部材（水平部材）
１０  鳥害防止用具
１１  ひも状体
１２，１３  長尺部材
１４  スプリング
２０  取付具
【図１】
2004313014.tif 000003
【図２】
2004313014.tif 000004
【図３】
2004313014.tif 000005
【図４】
2004313014.tif 000006